(57)【特許請求の範囲】
【請求項１】
一般式（１）
【化１】
0006519946.tif 000005
（一般式（１）中、Ｒ１とＲ２は、同一でも異なっていてもよく、それぞれ、水素原子、またはメチル基、エチル基、プロピル基、ブチル基のいずれかを示す。ｌは１〜３００の整数、ｍは１〜５０の整数、ｎは１〜５０の整数を示す。）
で表わされる片末端に水酸基を含有するポリシロキサン系化合物（ａ１）、ヘキサメチレンジイソシアネートのイソシアヌレート体及びイソホロンジイソシアネートのイソシアヌレート体の群から選択される１種以上であるイソシアネート基を平均３つ以上有するポリイソシアネート系化合物（ａ２）並びにペンタエリスリトールトリ（メタ）アクリレート、ジペンタエリスリトールペンタ（メタ）アクリレート、カプロラクトン変性ジペンタエリスリトールペンタ（メタ）アクリレート、カプロラクトン変性ペンタエリスリトールトリ（メタ）アクリレート、エチレンオキサイド変性ペンタエリスリトールトリ（メタ）アクリレートの群から選択される１種以上である（メタ）アクリロイル基を平均３〜２０有する水酸基含有（メタ）アクリレート系化合物（ａ３）を反応させてなるポリシロキサン含有ポリイソシアネート系誘導体［Ａ］、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールヘプタ（メタ）アクリレート及びトリペンタエリスリトールオクタ（メタ）アクリレートの群から選択される１種以上である１分子あたり平均３〜２０のアクリロイル基を有し、ウレタン結合を有さないアクリレート化合物［Ｂ］、及び光重合開始剤２−メチル−１−（４−メチルチオフェニル）−２−モルフォリノプロパン−１−オン［Ｃ２］を［Ａ］、［Ｂ］、及び［Ｃ２］の合計を１００重量％としたときに［Ａ］：［Ｂ］：［Ｃ２］＝０．１〜５．０重量％：７５〜９５重量％：４．９〜２０重量％で含有する紫外線硬化型コーティング剤組成物。
【請求項２】
請求項１に記載の紫外線硬化型コーティング剤組成物から形成される硬化膜。
【発明の詳細な説明】
【技術分野】
【０００１】
本発明は、ＩＣカードなどのリライタブルカードの用途や、建装材用、食品包装のパッケージ用、光学製品用途で用いることができる、優れた薄膜・高速硬化性を持ち、かつ滑り性、防汚性に優れた紫外線硬化型コーティング剤組成物及びその硬化膜に関するものである。
【背景技術】
【０００２】
近年、クレジットカードやキャッシュカード等の金融分野、駅の自動改札や高速道路の自動料金徴収等の交通分野、会員証や登録証等の身分証明の分野をはじめとする様々な分野において、ＩＣカード、ＩＣタグ、ＩＣシート等のＩＣチップが搭載された情報認識媒体が利用されている。特に、ラジオ波による無線技術を利用した非接触型の情報認識技術（ＲＦＩＤ（Ｒａｄｉｏ  Ｆｒｅｑｕｅｎｃｙ  Ｉｄｅｎｔｉｆｉｃａｔｉｏｎ）と称される）に対する期待が高まっており、この技術を利用したＲＦＩＤカード、ＲＦＩＤタグ、ＲＦＩＤシート等の情報認識媒体の利用も拡大されつつある。
【０００３】
これらＩＣカード、ＩＣシート等のリライタブルカードの表面には紫外線硬化型樹脂が保護層としての使用を提案されている（特許文献１〜３）。しかし、サーマルヘッドで削られた滓がサーマルヘッドに付着し、このことが原因して画像の形成や消去が不十分となるといった問題を生じることもあった。そのため、形成した保護層に硬化性シリコーン樹脂やシリコーン変性樹脂を使用し、滑り性を付与してヘッド滓の付着防止が検討されていた（特許文献４〜７）。
【０００４】
しかしながら、硬化性シリコーン樹脂やシリコーン変性樹脂は、硬化膜を作成するまでに数時間〜数日必要となり、コストメリットが少ない。
【０００５】
また紫外線硬化性を持ったシリコーン樹脂組成物は過去提案されている（特許文献８、９）が、高速で硬化するには硬化性が不十分であった。
【０００６】
さらに、紫外線硬化性樹脂組成物は、低コスト化のため、より使用量を減らし、薄膜で使用するという試みが行われている。しかし通常数μｍ以上であれば硬化出来るが、１μｍ未満の薄膜硬化膜の場合、酸素による重合阻害の影響を強く受け、高速硬化では硬化膜を作ることが難しいという問題があった。
【特許文献１】特開平０６−８６２６号公報
【特許文献２】特開平０６−３４４６７２号公報
【特許文献３】特開平０８−１１４３３号公報
【特許文献４】特開２００５−２１２３６２号公報
【特許文献５】特開２００５−５３１２４号公報
【特許文献６】特開平０５−３８８８１号公報
【特許文献７】特開２０１３−１２１６７７号公報
【特許文献８】特開２００６−０４５５０４号公報
【特許文献９】特開２００３−１９２７５１号公報
【発明の開示】
【発明が解決しようとする課題】
【０００７】
本発明は、滑り性に優れ、かつ通常の紫外線硬化型樹脂よりも優れた薄膜硬化と高速硬化が可能であり、さらに耐汚染性及びセロハンテープ剥離性も良好な紫外線硬化型コーティング剤組成物及びその硬化膜を提供することを目的とする。
【課題を解決するための手段】
【０００８】
本発明者は、紫外線硬化型コーティング剤組成物の構成成分として、特定のポリシロキサン含有ポリイソシアネート系誘導体［Ａ］と、特定の（メタ）アクリレート系化合物［Ｂ］並びに特定の光重合開始剤［Ｃ１］及び／又は［Ｃ２］を有し、かつそれらを特定の組成比率にすることにより、上記課題を解決できることを見出し、本発明を完成した。
【０００９】
すなわち、本発明は、片末端に水酸基を含有するポリシロキサン系化合物（ａ１）、イソシアネート基を平均３つ以上有するポリイソシアネート系化合物（ａ２）並びに（メタ）アクリロイル基を平均３つ以上有する水酸基含有（メタ）アクリレート系化合物（ａ３）を反応させてなるポリシロキサン含有ポリイソシアネート系誘導体［Ａ］、１分子あたり平均３〜２０のアクリロイル基を有し、ウレタン結合を有さないアクリレート化合物［Ｂ］、及び光重合開始剤−ヒドロキシ−１−｛４−［４−（２−ヒドロキシ−２−メチル−プロピオニル）−ベンジル］フェニル｝−２−メチル−プロパン−１−オン［Ｃ１］及び／又は２−メチル−１−（４−メチルチオフェニル）−２−モルフォリノプロパン−１−オン［Ｃ２］を含有する紫外線硬化型コーティング剤組成物である（本発明１）。
【００１０】
本発明２は、本発明１のアクリレート化合物［Ｂ］がペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールヘプタ（メタ）アクリレート及びトリペンタエリスリトールオクタ（メタ）アクリレートの群から選択される１種以上である請求項１記載の紫外線硬化型コーティング剤組成物。
【００１１】
本発明３は、本発明１又は２において［Ａ］：［Ｂ］：［Ｃ１］及び／又は［Ｃ２］＝０．１〜５．０重量％：７５〜９５重量％：４．９〜２０重量％である紫外線硬化型コーティング剤組成物である。
【００１２】
本発明４は、本発明１〜３いずれかの紫外線硬化型コーティング剤組成物から形成される硬化膜である。
【発明の効果】
【００１３】
本発明によれば、優れた薄膜・高速硬化性を有しかつ滑り性に優れた硬化膜を得ることができる。このような硬化膜はＩＣカードなどのリライタブルカードの用途での紫外線硬化型コーティング組成物として有用である。また、耐汚染性やセロハンテープ剥離性も有するため、建装材用、食品包装のパッケージ用、光学製品用などの表面コーティング剤としても有用である。
【発明を実施するための形態】
【００１４】
以下に、本発明を詳細に説明する。本発明は、片末端に水酸基を含有するポリシロキサン系化合物（ａ１）（以下、「（ａ１）成分」という）、イソシアネート基を３つ以上有するポリイソシアネート系化合物（ａ２）（以下、「（ａ２）成分」という）並びに（メタ）アクリロイル基を３つ以上有する水酸基含有（メタ）アクリレート系化合物（ａ３）（以下、「（ａ３）成分」という）を反応させてなるポリシロキサン含有ポリイソシアネート系誘導体［Ａ］（以下、「（Ａ）成分」という）、１分子あたり平均３〜２０のアクリロイル基を有し、ウレタン結合を有さないアクリレート化合物［Ｂ］（以下、「（Ｂ）成分」という）及び光重合開始剤−ヒドロキシ−１−｛４−［４−（２−ヒドロキシ−２−メチル−プロピオニル）−ベンジル］フェニル｝−２−メチル−プロパン−１−オン［Ｃ１］（以下、「（Ｃ１）成分」という）及び／又は２−メチル−１−（４−メチルチオフェニル）−２−モルフォリノプロパン−１−オン［Ｃ２］（以下、「（Ｃ２）成分」という）を含有する紫外線硬化型コーティング剤組成物である。
【００１５】
上記［Ａ］成分は、（ａ１）成分、（ａ２）成分及び（ａ３）成分を反応させて得られる。
【００１６】
上記（ａ１）成分は、１分子中に水酸基と、オルガノポリシロキサン単位を下記一般式（１）、（２）で示される化合物である。本成分を用いることにより、硬化膜に滑り性、耐汚染性、セロハンテープ剥離性を付与することができる。
【００１７】
【化１】
0006519946.tif 000002
（一般式（１）中、Ｒ１とＲ２は、同一でも異なっていてもよく、それぞれ、水素原子、またはメチル基、エチル基、プロピル基、ブチル基のいずれかを示す。ｌは１〜３００の整数、ｍは１〜５０の整数、ｎは１〜５０の整数を示す。）
【００１８】
【化２】
0006519946.tif 000003
（一般式（２）中、Ｒ１とＲ２は、同一でも異なっていてもよく、それぞれ、水素原子、メチル基、エチル基、プロピル基及びブチル基のいずれかを示す。ｌは１〜３００の整数、ｍは１〜５０の整数、ｎは１〜５０の整数、Ｒ３は、少なくとも２以上の−（ＣＨ２）ｒ−ＯＨであり、その他は水素原子、メチル基及び−（ＣＨ２）ｑ−ＯＨのいずれであってもよい。ｑは１〜５０の整数、ｒは１〜５０の整数を示す。）
【００１９】
上記ｌは、滑り性・硬化性の点で好ましくは５〜１２０であり、より好ましくは９〜６０である。上記ｍは、硬化性の点で好ましくは１〜２０であり、より好ましくは１〜１０である。上記ｎは、硬化性の点で好ましくは１〜２０であり、より好ましくは１〜１０である。上記ｑは、硬化性の点で好ましくは１〜２０であり、より好ましくは１〜１０である。上記ｒは、硬化性の点で好ましくは１〜２０であり、より好ましくは１〜１０である。
【００２０】
上記（ａ１）成分の数平均分子量としては特に限定されないが、１００〜２０，０００であることが好ましい。ここで数平均分子量とは、水酸基価からの換算値である（数平均分子量＝５６１１０÷水酸基価（ｍｇＫＯＨ／ｇ）×１分子当たりの水酸基数）。数平均分子量を１００以上とすることで、硬化膜に滑り性、耐汚染性及びセロハンテープ剥離性を優れたものとすることができ、２０，０００以下とすることで、硬化膜を固まりやすくすることができる。
【００２１】
上記の水酸基価の定量は、例えばＪＩＳ  Ｋ  １５５７に準拠して測定することが出来る。
【００２２】
上記（ａ１）成分の具体例としては、Ｘ−２２−１７０ＤＸ（信越シリコーン（株）社製）、Ｘ−２２−４０１５（信越シリコーン（株）社製）、サイラプレーンＦＭ−０４１１（ＪＮＣ（株）社製）、サイラプレーンＦＭ−０４２１（ＪＮＣ（株）社製）、サイラプレーンＦＭ−０４２５（ＪＮＣ（株）社製）、サイラプレーンＦＭ−ＤＡ１１（ＪＮＣ（株）社製）  、サイラプレーンＦＭ−ＤＡ２１（ＪＮＣ（株）社製）、サイラプレーンＦＭ−  ＤＡ２６（ＪＮＣ（株）社製）等の商品が挙げられる。
【００２３】
上記（ａ２）成分としては、平均３つ以上有するポリイソシアネート系化合物であれば、特に限定されることなく、例えば芳香族系、脂肪族系、脂環式系等のポリイソシアネートが挙げられる。３つ以上のイソシアネート基を持つことで、（ａ２）と（ａ１）のみの反応物や（ａ２）と（ａ３）のみの反応物などの未反応の低分子量成分を少なくすることができ、硬化膜のブリード低下を実現している。さらにイソシアネート当量（ｇ／ｅｑ）が２００以下であることが好ましい。これにより、ブリード低下によりつながる。例えば、トリレンジイソシアネート、ジフェニルメタンジイソシアネート、水添化ジフェニルメタンジイソシアネート、ポリフェニルメタンポリイソシアネート、変性ジフェニルメタンジイソシアネート、水添化キシリレンジイソシアネート、キシリレンジイソシアネート、ヘキサメチレンジイソシアネート、トリメチルヘキサメチレンジイソシアネート、テトラメチルキシリレンジイソシアネート、イソホロンジイソシアネート、ノルボルネンジイソシアネート、１，３−ビス（イソシアナトメチル）シクロヘキサン、フェニレンジイソシアネート、リジンジイソシアネート、リジントリイソシアネート、ナフタレンジイソシアネート等のポリイソシアネート或いはこれらポリイソシアネートの多量体化合物、ビューレット型ポリイソシアネート、水分散型ポリイソシアネート（例えば、日本ポリウレタン工業（株）製の「アクアネート１００」、「アクアネート１１０」、「アクアネート２００」、「アクアネート２１０」等）等が挙げられる。
【００２４】
上記のイソシアネート当量の定量は、例えばＪＩＳ  Ｋ  ７３０１に準拠して測定することが出来る。
【００２５】
上記（ａ３）成分としては、特に限定されないが、水酸基価が２５０ｍｇＫＯＨ／ｇ以下が好ましい。これにより一分子中のアクリロイル基の濃度を高めることができる。例えば、ペンタエリスリトールトリ（メタ）アクリレート、ジペンタエリスリトールペンタ（メタ）アクリレート、カプロラクトン変性ジペンタエリスリトールペンタ（メタ）アクリレート、カプロラクトン変性ペンタエリスリトールトリ（メタ）アクリレート、エチレンオキサイド変性ペンタエリスリトールトリ（メタ）アクリレート等が挙げられる。これらは１種又は２種以上組み合わせて使用することができる。これら成分を用いることで、硬化膜の薄膜硬化性を付与することができる。２つ以下しかアクリロイル基を持たない場合には、硬化性が不足し、薄膜硬化性が低下してしまう。
【００２６】
上記（Ａ）成分の合成方法としては、公知の方法を採用すればよく、例えば、上記（ａ１）成分と（ａ２）成分と（ａ３）成分を、無溶剤または、トルエンなどの非アルコール系有機溶媒中、トリエチレンジアミン、１，８−ジアザビシクロ−［５，４，０］−ウンデセン−７、オクチル酸第一スズ、ジオクチル酸鉛、ジオクチル酸ビスマス、トリオクチル酸ビスマス、トリネオデカン酸ビスマス、ジブチルスズジラウレート、ジオクチルスズラウレートなどより選ばれる触媒存在下で、通常、反応温度６０〜９０℃程度で反応させればよい。
【００２７】
上記（ａ１）成分、（ａ２）成分及び（ａ３）成分の使用割合としては、（ａ１）成分の水酸基／（ａ２）成分のイソシアネート基／（ａ３）成分の水酸基のモル比が１〜２．２５／１〜１．２５／１〜２．２５であることが好ましい。
【００２８】
上記［Ａ］成分の１分子当たりの平均アクリロイル基数は、薄膜硬化性及び高速硬化性を良好とする点で５〜２０であることが好ましい。より好ましくは５〜１０である。
【００２９】
上記［Ｂ］成分は、１分子あたり平均３〜２０のアクリロイル基を有し、ウレタン結合を有さないアクリレート化合物であれば特に限定されない。これらは、１分子あたり平均３〜２０のアクリロイル基を含有することにより、酸素による硬化阻害を受けやすい薄膜であっても優れた硬化性を得ることができる。ウレタン結合を有するアクリレート化合物は、光重合反応性が［Ｂ］成分と比べ劣ることにより、本発明の効果を奏しない。薄膜硬化製及び高速硬化性がより良好となる点で好ましくは、１分子あたり平均アクリロイル数は５〜２０のアクリレート系化合物である。より好ましくは１分子あたり平均アクリロイル数が５〜１０のアクリレート化合物である。さらに好ましい具体的な［Ｂ］成分は、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールヘプタ（メタ）アクリレート及びトリペンタエリスリトールオクタ（メタ）アクリレートの群から選択される１種以上のアクリレート系化合物である。
【００３０】
本発明で用いられる光重合開始剤［Ｃ１］・［Ｃ２］としては、光重合開始剤ヒドロキシ１−｛４−［４−（２−ヒドロキシ−２−メチル−プロピオニル）−ベンジル］フェニル｝−２−メチル−プロパン−１−オン［Ｃ１］及び／又は２−メチル−１−（４−メチルチオフェニル）−２−モルフォリノプロパン−１−オン［Ｃ２］を含有していることが必要である。［Ｃ１］の具体例としてはＢＡＳＦ社Ｉｒｇａｃｕｒｅ９０７、ＤＫＳＨジャパン社製ＬＵＮＡＣＵＲＥ９０７が挙げられる。［Ｃ２］の具体例としてはＢＡＳＦ社製Ｉｒｇａｃｕｒｅ１２７が挙げられる。これらを用いることにより硬化性が向上し、薄膜・高速でも硬化することができる硬化膜を得ることができる。
【００３１】
本発明の紫外線硬化型樹脂組成物は、更に、光重合開始剤の助剤としてトリエタノールアミン、トリイソプロパノールアミン、４，４′−ジメチルアミノベンゾフェノン（ミヒラーケトン）、４，４′−ジエチルアミノベンゾフェノン、２−ジメチルアミノエチル安息香酸、４−ジメチルアミノ安息香酸エチル、４−ジメチルアミノ安息香酸（ｎ−ブトキシ）エチル、４−ジメチルアミノ安息香酸イソアミル、４−ジメチルアミノ安息香酸２−エチルヘキシル、２，４−ジエチルチオキサンソン、２，４−ジイソプロピルチオキサンソン等を併用することも可能である。
【００３２】
本発明の紫外線硬化型コーティング剤組成物は、［Ａ］成分、［Ｂ］成分、［Ｃ１］成分及び／又は［Ｃ２］成分を所望の割合によって混合することで製造することが出来る。各成分の混合方法及び添加順序については、特段の限定はされない。
【００３３】
［Ａ］成分、［Ｂ］成分、［Ｃ１］成分及び／又は［Ｃ２］成分をを含有する紫外線硬化型コーティング剤組成物は、その組成比が［Ａ］：［Ｂ］：［Ｃ１］及び／又は［Ｃ２］＝０．１〜５．０重量％：７５〜９０重量％：４．９〜２０重量％であることが好ましい。これにより、薄膜でも硬化することができる硬化膜を得ることができる。より好ましくは、［Ｃ１］及び／又は［Ｃ２］成分は１０重量％以上である。
【００３４】
かくして本発明のポリシロキサン含有ポリイソシアネート系誘導体［Ａ］、（メタ）アクリロイル基を３つ以上有する（メタ）アクリレート系化合物［Ｂ］並びに光重合開始剤［Ｃ１］及び／又は［Ｃ２］を含有する紫外線硬化型コーティング剤組成物が得られる。
【００３５】
この組成物は必要に応じて、有機溶剤を配合し、粘度を調整して使用することも可能である。かかる有機溶剤としては、例えば、酢酸エチル、酢酸ブチル、トルエン、キシレン、メタノール、エタノール、プロパノール、ブタノール、アセトン、メチルイソブチルケトン、メチルエチルケトン、シクロヘキサノン、エチルセロソルブ等のセロソルブ類、プロピレングリコールモノメチルエーテル等のプロピレングリコールエーテル類、ジアセトンアルコール等が挙げられる。これらは１  種又は２  種以上組み合わせて使用することもできる。
【００３６】
紫外線照射により硬化させる方法としては、１５０〜４５０ｎｍ波長域の光を発する高圧水銀ランプ、超高圧水銀灯、カーボンアーク灯、メタルハライドランプ、キセノンランプ、ケミカルランプ、無電極ランプ、ＬＥＤランプ等を用いて、５０〜１００ｍＪ／ｃｍ２程度照射すればよい。紫外線照射後は、必要に応じて加熱を行って硬化の完全を図ることもできる。
【００３７】
また、本発明のコーティング剤組成物は、さらに、必要に応じてレベリング剤や消泡剤、スリップ剤、光増感剤等の各種添加剤を配合することもできる。
【００３８】
本発明のコーティング剤組成物を用いて物品表面にコーティング層（硬化膜）を形成させる方法としては、物品表面にコーティング剤組成物を公知の方法で塗布して乾燥させた後に、活性エネルギー線を照射することにより硬化させることにより行う。コーティング剤組成物の塗布方法としては、例えばバーコーター塗工、メイヤーバー塗工、エアナイフ塗工、グラビア塗工、リバースグラビア塗工、オフセット印刷、フレキソ印刷、スクリーン印刷法等が挙げられる。なお、塗布量は特に限定されないが、通常は、乾燥後の重量が０．１〜２０ｇ／ｍ２になる範囲である。
【００３９】
本発明のコーティング剤組成物を使用してコーティング層が形成可能な物品（基材）としては、特に制限はなく、例えば、プラスチック（ポリカーボネート、ポリメチルメタクリレート、ポリスチレン、ポリエステル、ポリオレフィン、エポキシ樹脂、メラミン樹脂、トリアセチルセルロース樹脂、ＡＢＳ樹脂、ＡＳ樹脂、ノルボルネン系樹脂等）、金属、木材、紙、ガラス、スレート等が挙げられる。
【００４０】
本発明の紫外線硬化型コーティング剤組成物から形成される硬化膜もまた本発明の１つである。これにより、本発明の硬化膜の膜厚を１μｍ未満とすることができるので、コストを削減することが可能となる。本発明によれば、さらにこのような薄膜硬化膜を高速硬化により形成することができる。
【実施例】
【００４１】
以下に、実施例を挙げて本発明を具体的に説明するが、本発明はこれら各例に限定されるものではない。なお、各例中、部及び％は特記しない限り全て重量基準である。
【００４２】
（合成例１）（ポリシロキサン含有ポリイソシアネート系誘導体［Ａ−１］の合成）
攪拌装置、冷却管、滴下ロート及び窒素導入管を備えた反応容器に、ヘキサメチレンジイソシアネートのイソシアヌレート体１００部、オクチル酸スズ０．３部、ポリシロキサン化合物（ａ１）（一般式（１）Ｒ１＝ブチル基、Ｒ２＝メチル基、ｌ＝１０、ｍ＝３、ｎ＝２）１８２部、ジペンタエリスリトールペンタアクリレート３４７部、酢酸エチル部６２９部を仕込んだ後、約１時間かけて、系内の温度を約７０度に昇温した。次いで、同温度において、反応系を３時間保持し、イソシアネート基が消失したこと確認した後、冷却して、紫外線硬化型のウレタンアクリレートオリゴマー［Ａ−１］得た。
【００４３】
（合成例２）（ポリシロキサン含有ポリイソシアネート系誘導体［Ａ−２］の合成）
攪拌装置、冷却管、滴下ロート及び窒素導入管を備えた反応容器に、イソホロンジイソシアネートのイソシアヌレート体１００部、オクチル酸スズ０．２部、ポリシロキサン化合物（ａ１）（一般式（１）Ｒ１＝ブチル基、Ｒ２＝メチル基、ｌ＝１０、ｍ＝３、ｎ＝２）１５７部、ジペンタエリスリトールペンタアクリレート３００部、酢酸エチル部５５７部を仕込んだ後、約１時間かけて、系内の温度を約７０度に昇温した。次いで、同温度において、反応系を３時間保持し、イソシアネート基が消失したこと確認した後、冷却して、紫外線硬化型のウレタンアクリレートオリゴマー［Ａ−２］得た。
【００４４】
（合成例３）（ポリシロキサン含有ポリイソシアネート系誘導体［Ａ−３］の合成）
攪拌装置、冷却管、滴下ロート及び窒素導入管を備えた反応容器に、ヘキサメチレンジイソシアネートのイソシアヌレート体１００部、オクチル酸スズ０．１部、ポリシロキサン化合物（ａ１）（一般式（１）Ｒ１＝ブチル基、Ｒ２＝メチル基、ｌ＝１０、ｍ＝３、ｎ＝２）１５７部、２−ヒドロキシエチルアクリレート（アクリロイル基が１つ）４０部、酢酸エチル２９７部を仕込んだ後、約１時間かけて、系内の温度を約７０度に昇温した。次いで、同温度において、反応系を３時間保持し、イソシアネート基が消失したこと確認した後、冷却して、紫外線硬化型のウレタンアクリレートオリゴマー［Ａ−３］得た。
【００４５】
（合成例４）（ウレタン（メタ）アクリレート系化合物の合成）
温度計、攪拌機、水冷コンデンサー、窒素ガス吹き込み口を備えた４つ口フラスコに、ヘキサメチレンジイソシアネートの３量体７７．１部とジブチルスズジラウレート０．１０部、メチルエチルケトン５００部を仕込み、６０℃以下でジペンタエリスリトールペンタアクリレート４２２．９部、２，６−ジ−ｔｅｒｔ−ブチルクレゾール０．４部を約１時間で滴下し、６０℃で反応を継続し、イソシアネート基が消失した時点で反応を終了し、ウレタン（メタ）アクリレート系化合物を得た。
【００４６】
（塗工液の調製）
上記合成により得られた各紫外線硬化型コーティング剤組成物を使用して塗料化し、塗工液を調製した。
【００４７】
（実施例１）
合成例１で得られたポリシロキサン含有ポリイソシアネート系誘導体２部にジペンタエリスリトールペンタアクリレート９３部、ヒドロキシ−１−｛４−［４−（２−ヒドロキシ−２−メチル−プロピオニル）−ベンジル］フェニル｝−２−メチル−プロパン−１−オン［Ｃ１］５部を配合し、不揮発分が２５％になるようメチルエチルケトンで希釈調製し、均一に混合した。
【００４８】
（実施例２）
合成例１で得られたポリシロキサン含有ポリイソシアネート系誘導体２部にジペンタエリスリトールペンタアクリレート９３部、２−メチル−１−（４−メチルチオフェニル）−２−モルフォリノプロパン−１−オン［Ｃ２］５部を配合し、不揮発分が２５％になるようメチルエチルケトンで希釈調製し、均一に混合した。
【００４９】
（実施例３）
合成例２で得られたポリシロキサン含有ポリイソシアネート系誘導体２部にジペンタエリスリトールペンタアクリレート９３部、−ヒドロキシ−１−｛４−［４−（２−ヒドロキシ−２−メチル−プロピオニル）−ベンジル］フェニル｝−２−メチル−プロパン−１−オン［Ｃ１］５部を配合し、不揮発分が２５％になるようメチルエチルケトンで希釈調製し、均一に混合した。
【００５０】
（実施例４）
合成例２で得られたポリシロキサン含有ポリイソシアネート系誘導体２部にジペンタエリスリトールペンタアクリレート９３部、２−メチル−１−（４−メチルチオフェニル）−２−モルフォリノプロパン−１−オン［Ｃ２］５部を配合し、不揮発分が２５％になるようメチルエチルケトンで希釈調製し、均一に混合した。
【００５１】
（比較例１）
ジペンタエリスリトールペンタアクリレート９５部に、ヒドロキシ−１−｛４−［４−（２−ヒドロキシ−２−メチル−プロピオニル）−ベンジル］フェニル｝−２−メチル−プロパン−１−オン［Ｃ１］５部を配合し、不揮発分が２５％になるようメチルエチルケトンで希釈調製し、均一に混合した。
【００５２】
（比較例２）
合成例１で得られたポリシロキサン含有ポリイソシアネート系誘導体９５部に、−ヒドロキシ−１−｛４−［４−（２−ヒドロキシ−２−メチル−プロピオニル）−ベンジル］フェニル｝−２−メチル−プロパン−１−オン［Ｃ１］５部を配合し、不揮発分が２５％になるようメチルエチルケトンで希釈調製し、均一に混合した。
【００５３】
（比較例３）
合成例１で得られたポリシロキサン含有ポリイソシアネート系誘導体２部にジペンタエリスリトールペンタアクリレート９３部、ダロキュア１１７３（チバ・スペシャルティ・ケミカルズ（株））５部を配合し、不揮発分が２５％になるようメチルエチルケトンで希釈調製し、均一に混合した。
【００５４】
（比較例４）
合成例１で得られたポリシロキサン含有ポリイソシアネート系誘導体２部にジペンタエリスリトールペンタアクリレート９３部、イルガキュア１８４（チバ・スペシャルティ・ケミカルズ（株））５部を配合し、不揮発分が２５％になるようメチルエチルケトンで希釈調製し、均一に混合した。
【００５５】
（比較例５）
合成例３で得られたポリシロキサン含有ポリイソシアネート系誘導体２部にジペンタエリスリトールペンタアクリレート９３部、ヒドロキシ−１−｛４−［４−（２−ヒドロキシ−２−メチル−プロピオニル）−ベンジル］フェニル｝−２−メチル−プロパン−１−オン［Ｃ１］５部を配合し、不揮発分が２５％になるようメチルエチルケトンで希釈調製し、均一に混合した。
【００５６】
（比較例６）
合成例１で得られたポリシロキサン含有ポリイソシアネート系誘導体２部に１，６−ヘキサンジオールジアクリレート９３部、ヒドロキシ−１−｛４−［４−（２−ヒドロキシ−２−メチル−プロピオニル）−ベンジル］フェニル｝−２−メチル−プロパン−１−オン［Ｃ１］５部を配合し、不揮発分が２５％になるようメチルエチルケトンで希釈調製し、均一に混合した。
【００５７】
（比較例７）
合成例１で得られたポリシロキサン含有ポリイソシアネート系誘導体２部に合成例４で得られたウレタン（メタ）アクリレート系化合物９３部、ヒドロキシ−１−｛４−［４−（２−ヒドロキシ−２−メチル−プロピオニル）−ベンジル］フェニル｝−２−メチル−プロパン−１−オン［Ｃ１］５部を配合し、不揮発分が２５％になるようメチルエチルケトンで希釈調製し、均一に混合した。
【００５８】
（硬化膜の評価）
上記により得られた塗料を用いて下記の方法で基材表面硬化被膜を形成させてその評価試験を行った。その結果を表１に示す。厚さ１００μｍのポリエチレンテレフタレートフィルム上にバーコーター＃２（膜厚０．５μｍ）で塗布し、８０℃の循風乾燥機中で１分間乾燥し、その後、高圧水銀灯１２０Ｗ／ｃｍ（１灯）、照射距離２５ｃｍ、ベルトスピード４３ｍ／ｍｉｎの条件で積算照射量３０ｍＪ／ｃｍ２で硬化膜を形成した。
【００５９】
＜外観＞
硬化膜の外観をレベリング性（平滑性）、ゆず肌、ピンホールについての不具合の有無を目視にて評価した。
○＝平滑であり、ゆず肌、ピンホールなどの不具合がない。  
×＝平滑でなく、ゆず肌、ピンホールなどの不具合がある。
【００６０】
＜硬化性＞
メチルエチルケトンを浸みこませた綿棒を硬化膜にこすりつけ５０往復させ、硬化膜変化の有無を目視で確認した。
○＝試験前と比べ、硬化膜の変化が無い。  
×＝硬化膜に白化が見られる。
××＝硬化膜が剥がれる。
【００６１】
＜滑り性＞
ＪＩＳ−Ｋ−７１２５に準じ静摩擦係数を測定した。
【００６２】
＜耐汚染性＞
油性マジックインキ（Ｈｉ−Ｍｃｋｅｅ  黒  ゼブラ（株）社製）を用い、硬化塗膜に線状に油性マジックインキを塗布、５分間乾燥させた後キムワイプで拭き取り、拭き取り性を評価した。
○＝拭き取り跡が無い  
×＝拭き取り不可
【００６３】
＜セロハンテープ剥離性＞
セロハンテープ（エルパックＬＰ−２４  ニチバン（株）社製）を用い、硬化塗膜にセロハンテープを貼り付け５分放置した後剥がし、剥離性を評価した。
○＝容易に剥離  
×＝剥離が重く剥がれにくい
【００６４】
【表１】
0006519946.tif 000004
＊：硬化膜成分が硬化していなかったため、測定することが出来なかった。
【００６５】
表１中の記号は以下の通りである。
ＤＰＰＡ：ジペンタエリスリトールペンタアクリレート
ＨＤＤＡ：１，６−ヘキサンジオールジアクリレート
Ｄ．１１７３：ダロキュア１１７３（チバ・スペシャルティ・ケミカルズ（株）社製）
Ｉｒｇ．１８４：イルガキュア１８４（チバ・スペシャルティ・ケミカルズ（株）社製）